(57)【要約】【課題】キャリッジに収納されたイメージセンサによって、コンタクトガラス上の原稿から画像を読み取る画像読取装置に関し、装置の小型化に対応しつつ、付勢手段によって、イメージセンサをコンタクトガラス側に付勢し得る画像読取装置を提供する。【解決手段】多機能機１は、第１キャリッジ３０のセンサ収納部３１に収納されたイメージセンサ２０を、第１キャリッジ３０と共にスライド軸２５に沿ってスライド移動させることによって、コンタクトガラス１６上の原稿から画像を読み取る。スプリング３６は、センサ収納部３１に収納されたイメージセンサ２０の読取面２１に隣接する位置において、第１キャリッジ３０のスプリング取付部３２と、ホルダ部材３５の被付勢部３５Ｂの間に配設されており、被付勢部３５Ｂを介して、イメージセンサ２０をコンタクトガラス１６側に付勢する。【選択図】図５
2015164356.tif 000002
【特許請求の範囲】
【請求項１】
本体筐体の上面に配設され、原稿がセットされるコンタクトガラスと、
前記コンタクトガラスの下方に位置し、前記コンタクトガラス上の原稿から画像を読み取る為の読取面を、前記コンタクトガラス側に有するイメージセンサと、
前記コンタクトガラス側が開放された凹状に形成されたセンサ収納部に、前記イメージセンサを収納しつつ支持するキャリッジと、
前記キャリッジをスライド移動可能に支持するレール部材と、
前記イメージセンサの読取面に隣接する被付勢部を介して、前記イメージセンサを、前記コンタクトガラス側に付勢する付勢部材と、を有し、
前記付勢部材の上端は、前記コンタクトガラスの下方であり、前記イメージセンサの下面よりも上方に位置する
ことを特徴とする画像読取装置。
【請求項２】
請求項１記載の画像読取装置であって、
前記被付勢部は、前記コンタクトガラスの読取面に隣接しつつ、且つ、相互に対向する２箇所に位置し、
前記付勢部材は、前記２箇所の被付勢部を介して、前記イメージセンサをコンタクトガラス側に付勢する
ことを特徴とする画像読取装置。
【請求項３】
請求項１又は請求項２記載の画像読取装置であって、
前記キャリッジは、
前記被付勢部の下方であって、前記付勢部材の下端部が取り付けられる取付部を有し、
前記取付部は、
前記センサ収納部に収納された前記イメージセンサの下面よりも、前記コンタクトガラス側に位置する
ことを特徴とする画像読取装置。
【請求項４】
請求項１乃至請求項３の何れかに記載の画像読取装置であって、
前記イメージセンサと前記キャリッジの間において、上下動可能に配設され、前記イメージセンサの下面と当接するホルダ部材と、を有し、
前記ホルダ部材は、
前記コンタクトガラス側が開放された凹状に形成され、前記イメージセンサの下面と当接して、イメージセンサを支持する支持凹部と、
前記支持凹部におけるコンタクトガラス側の端縁から、前記支持凹部の外側に向かって延出された前記被付勢部と、を有する
ことを特徴とする画像読取装置。
【請求項５】
請求項４記載の画像読取装置であって、
前記ホルダ部材は、
前記付勢部材の付勢力によって、コンタクトガラス側へ所定量移動した場合に、前記キャリッジに形成された被係合部と係合する係合フックを有する
ことを特徴とする画像読取装置。
【請求項６】
請求項１乃至請求項５の何れかに記載の画像読取装置であって、
前記イメージセンサは、
前記レール部材に従ったスライド移動方向に直交する第１方向に長辺を有し、
前記第１方向における前記イメージセンサの端部の内、少なくとも一方に位置する前
記被付勢部を介して、前記コンタクトガラス側に付勢されている
ことを特徴とする画像読取装置。
【請求項７】
請求項１乃至請求項６の何れかに記載の画像読取装置であって、
前記イメージセンサは、
前記レール部材に従ったスライド移動方向に直交する第１方向に長辺を有し、
前記第１方向における前記イメージセンサの中央部分に位置する前記被付勢部を介して、前記コンタクトガラス側に付勢されている
ことを特徴とする画像読取装置。
【請求項８】
請求項１乃至請求項７の何れかに記載の画像読取装置であって、
前記被付勢部は、
前記コンタクトガラスの下面と前記被付勢部の上面との間に設けられ、前記コンタクトガラスの下面と当接するスペーサを有する
ことを特徴とする画像読取装置。
【発明の詳細な説明】
【技術分野】
【０００１】
本発明は、キャリッジに収納されたイメージセンサによって、コンタクトガラス上の原稿から画像を読み取る画像読取装置に関する。
【背景技術】
【０００２】
従来、画像読取装置として、所謂、フラットベッドタイプの装置が知られている。これらの画像読取装置は、その装置筐体上面に、原稿がセットされるコンタクトガラスを有している。画像読取装置は、装置筐体内部に配設されたイメージセンサによって、コンタクトガラス上にセットされた原稿の画像を読み取るように構成されている。そして、イメージセンサは、装置筐体内部に配設されたレールに対してスライド移動可能に取り付けられたキャリッジに搭載されている。イメージセンサは、原稿の画像を読み取る際には、キャリッジと共にレールに沿ってスライド移動するように構成されている。
【０００３】
このような画像読取装置に関する発明として、特許文献１記載の発明が知られている。特許文献１記載の画像読取装置では、イメージセンサは、レールに沿ってスライド移動可能なキャリッジ上に載置されている。イメージセンサは、イメージセンサの下面とキャリッジの上面との間に介在するスプリングによって、コンタクトガラスが位置する上方に向かって付勢されている。
【先行技術文献】
【特許文献】
【０００４】
【特許文献１】特開平０８−１６３２９１号公報
【発明の概要】
【発明が解決しようとする課題】
【０００５】
ここで、特許文献１記載の画像読取装置においては、スプリングが、イメージセンサの下面とキャリッジの上面の間に配設されている。その為、スプリングを限界まで縮めたとしても、スプリングが、或る程度の高さを占有してしまう。よって、近年要望されている装置の小型化に関する障害となってしまう。
【０００６】
本発明は、キャリッジに収納されたイメージセンサによって、コンタクトガラス上の原稿から画像を読み取る画像読取装置に関し、装置の小型化に対応しつつ、付勢手段によって、イメージセンサをコンタクトガラス側に付勢し得る画像読取装置を提供する。
【課題を解決するための手段】
【０００７】
本発明の一側面に係る画像読取装置は、コンタクトガラスと、イメージセンサと、キャリッジと、レール部材と、付勢部材とを有し、キャリッジのセンサ収納部に収納されたイメージセンサを、前記キャリッジと共にレール部材に沿ってスライド移動させることによって、コンタクトガラス上にセットされた原稿から画像を読み取り得る。前記画像読取装置によれば、付勢部材は、センサ収納部に収納されたイメージセンサの読取面に隣接する被付勢部を介して、前記イメージセンサをコンタクトガラス側へ付勢するので、付勢部材がイメージセンサの下面とセンサ収納部の底面の間に位置することはない。これにより、前記画像読取装置は、その上下方向における装置の小型化に対応し得る。又、前記付勢部材の上端は、前記コンタクトガラスの下方であり、前記イメージセンサの下面よりも上方に位置しているので、前記画像読取装置によれば、付勢部材の付勢力によって、イメージセンサを確実に、コンタクトガラス側へ付勢し得る。
【０００８】
そして、本発明の他の側面に係る画像読取装置においては、前記被付勢部は、前記コンタクトガラスの読取面に隣接しつつ、且つ、相互に対向する２箇所に位置し、前記付勢部材は、前記２箇所の被付勢部を介して、前記イメージセンサをコンタクトガラス側に付勢する。従って、前記画像読取装置によれば、被付勢部に対して、付勢部材の付勢力を作用させることで、イメージセンサを、コンタクトガラスに対して適正な状態を維持しつつ、コンタクトガラス側へ付勢し得る。
【０００９】
又、本発明の他の側面に係る画像読取装置においては、前記キャリッジは、前記被付勢部の下方に、前記付勢部材の下端部が取り付けられる取付部を有し、前記取付部は、前記センサ収納部に収納された前記イメージセンサの下面よりも、前記コンタクトガラス側に位置する。従って、前記画像読取装置によれば、より確実に、付勢部材の付勢力によって、イメージセンサをコンタクトガラス側へ付勢し得る。
【００１０】
そして、本発明の他の側面に画像読取装置は、支持凹部と、被付勢部を有するホルダ部材を、前記イメージセンサと前記キャリッジの間において、上下動可能に有している。前記ホルダ部材において、支持凹部は、前記コンタクトガラス側が開放された凹状に形成され、前記イメージセンサの下面と当接して、イメージセンサを支持する。そして、被付勢部は、支持凹部におけるコンタクトガラス側の端縁から、前記支持凹部の外側に向かって延出される。従って、前記画像読取装置によれば、ホルダ部材の被付勢部に対して、付勢部材の付勢力を作用させることで、イメージセンサを、コンタクトガラスに対して適正な状態を維持しつつ、コンタクトガラス側へ付勢し得る。
【００１１】
又、本発明の他の側面に係る画像読取装置において、前記ホルダ部材は、係合フックを有し、前記付勢部材の付勢力によって、コンタクトガラス側へ所定量移動した場合に、前記係合フックは、前記キャリッジに形成された被係合部と係合する。従って、前記画像読取装置によれば、係合フックと被係合部が協働することで、付勢部材の付勢力によって、ホルダ部材がキャリッジから外れることを防止でき、ホルダ部材の紛失等を防止し得る。
【００１２】
そして、本発明の他の側面に係る画像読取装置において、前記イメージセンサは、スライド移動方向に直交する第１方向に長辺を有し、前記第１方向における前記イメージセンサの端部の内、少なくとも一方に位置する前記被付勢部を介して、前記コンタクトガラス側に付勢されている。従って、前記画像読取装置によれば、少なくとも、長辺方向におけるイメージセンサの一端部において、装置の小型化に対応しつつ、付勢部材の付勢力によって、イメージセンサをコンタクトガラス側へ付勢し得る。
【００１３】
又、本発明の他の側面に係る画像読取装置において、前記イメージセンサは、第１方向に長辺を有し、前記第１方向における前記イメージセンサの中央部分に位置する前記被付勢部を介して、前記コンタクトガラス側に付勢されている。従って、前記画像読取装置によれば、長辺方向におけるイメージセンサの中央部分において、装置の小型化に対応しつつ、付勢部材の付勢力によって、イメージセンサをコンタクトガラス側へ付勢し得る。
【００１４】
そして、本発明の他の側面に係る画像読取装置において、前記被付勢部は、スペーサを有しており、前記スペーサは、前記コンタクトガラスの下面と前記被付勢部の上面との間に設けられ、前記コンタクトガラスの下面と当接する。従って、前記画像読取装置によれば、被付勢部は、付勢部材の付勢力によって、イメージセンサをコンタクトガラス側に付勢する機能を果たすと共に、イメージセンサの読取面をコンタクトガラス上の原稿から一定の距離に保つ機能を果たす。これにより、前記画像読取装置によれば、イメージセンサの読取面を、コンタクトガラス上の原稿に対して適正な位置にすることができ、もって、イメージセンサによる画像の読取品質を、良好な状態とし得る。
【図面の簡単な説明】
【００１５】
【図１】本発明の第１実施形態に係る多機能機１の外観斜視図である。
【図２】上記多機能機１のスキャナユニット１０の内部構成を示す平面図である。
【図３】上記多機能機１の第１キャリッジ３０に搭載されたイメージセンサ２０の平面図である。
【図４】上記第１キャリッジ３０の構成を示す外観斜視図である。
【図５】上記第１キャリッジ３０に取り付けられたホルダ部材３５の断面図である。
【図６】本発明の第２実施形態に係る第２キャリッジ４０に搭載されたイメージセンサ２０の外観斜視図である。
【図７】上記第２キャリッジ４０に取り付けられたホルダ部材４５の断面図である。
【図８】本発明の第３実施形態に係る第３キャリッジ５０に搭載されたイメージセンサ２０の平面図である。
【図９】本発明の第４実施形態に係る第４キャリッジ６０に搭載されたイメージセンサ２０の平面図である。
【図１０】本発明の第５実施形態に係る第５キャリッジ７０に搭載されたイメージセンサ２０の外観斜視図である。
【図１１】上記第５キャリッジ７０に取り付けられたホルダ部材７５の断面図である。
【発明を実施するための形態】
【００１６】
以下、本発明に係る画像読取装置を、スキャナユニット１０を有する多機能機１に具体化した実施形態について、図面を参照しつつ詳細に説明する。
【００１７】
（第１実施形態）
先ず、第１実施形態に係る多機能機１の概略構成について、図１及び図２を参照しつつ説明する。尚、以下の説明において、多機能機１が使用可能に設置された状態を基準として、図１に示す上下方向を定義する。図１における右下側を前側とし、図１における左上側を後側とする。又、多機能機１を前側から見たときを左右の基準とし、図１における左下側を左側とし、右上側を右側とする。
【００１８】
図１に示すように、多機能機１は、本体筐体２と、上部カバー３とを有している。本体筐体２は、上面に原稿載置台１１を有している。原稿載置台１１は、コンタクトガラス１６により構成される。コンタクトガラス１６は、所謂「プラテンガラス」である。コンタクトガラス１６は、本体筐体２の左右方向に沿って長辺が位置する最大原稿サイズよりもやや大きな長方形状に形成されている。コンタクトガラス１６は、原稿がコンタクトガラス１６上にセットされ、後述するスキャナユニット１０を構成するイメージセンサ２０が移動されて画像が読み取られる際に用いられる。
【００１９】
又、本体筐体２は、本体筐体２内における上側部分において、コンタクトガラス１６の下方に、スキャナユニット１０を有している。スキャナユニット１０は、イメージセンサ２０、第１キャリッジ３０、スライド軸２５、読取搬送モータ、及びフラットケーブル等を有する。スキャナユニット１０は、コンタクトガラス１６上にセットされた原稿の画像を読み取る。スキャナユニット１０の構成については、後に図面を参照しつつ詳細に説明する。
【００２０】
そして、本体筐体２は、スキャナユニット１０の下方に、制御部、ファクシミリ部、及び画像形成部等を収納している。制御部は、ＣＰＵ、ＲＯＭ、及びＲＡＭ等を有している。制御部は、多機能機１におけるスキャナ機能、コピー機能、プリンタ機能、ファクシミリ機能を実現する為の制御の中枢を担う。
【００２１】
ファクシミリ部は、制御部による制御に基づいて、スキャナユニット１０により読み取った原稿の画像を、ネットワーク網を介して、ユーザ所望の相手先にファクシミリ通信する。又、ファクシミリ部は、ネットワーク網を介して、ファクシミリデータを受信し得る。受信したファクシミリデータは、制御部によって画像形成部を制御することで、給紙カセット７内の用紙等に印刷出力される。即ち、多機能機１は、スキャナユニット１０、ファクシミリ部、及び画像形成部を制御することで、ファクシミリ機能を実現する。
【００２２】
画像形成部は、制御部による制御に基づいて、入力された画像データを給紙カセット７内の用紙へ印刷出力する。多機能機１は、スキャナユニット１０により読み取った画像に基づく画像データを対象として、画像形成部を制御することで、コピー機能を実現する。又、多機能機１は、ネットワーク網を介して入力された印刷データを対象として、画像形成部を制御することで、プリンタ機能を実現する。
【００２３】
更に、本体筐体２の前側上面には、操作パネル５、及び液晶ディスプレイ６が配設されている。操作パネル５は、多機能機１に対する種々の指示を入力する際に操作される。液晶ディスプレイ６は、多機能機１に関する種々の情報を表示し、ユーザのその情報の内容を報知する。
【００２４】
又、本体筐体２の前面には、給紙カセット７が脱着可能に取り付けられる。給紙カセット７は、被記録媒体である用紙を積層状態で収容している。用紙は、画像形成部による画像の印刷出力に用いられる。
【００２５】
そして、上部カバー３は、本体筐体２上面の後端縁を軸に開閉自在に配設されており、閉じた場合に本体筐体２上面、即ち、原稿載置台１１、及びコンタクトガラス１６を覆う。従って、上部カバー３は、コンタクトガラス１６上にセットされた原稿をその位置に固定し得る。
【００２６】
又、上部カバー３は、自動原稿搬送装置（ＡＤＦ：Auto Document Feeder）４を有している。自動原稿搬送装置４は、上部カバー３の左側に配設されている。自動原稿搬送装置４は、不図示の原稿トレイ内の原稿を連続して一枚ずつ給紙し、所定の搬送経路に沿って搬送した後、不図示の排紙トレイに排紙する。多機能機１は、自動原稿搬送装置４により原稿を搬送する途中で、スキャナユニット１０により画像を読み取る方式で、原稿の画像を読み取り得る。
【００２７】
次に、多機能機１におけるスキャナユニット１０の構成について、図２を参照しつつ詳細に説明する。上述したように、スキャナユニット１０は、イメージセンサ２０、第１キャリッジ３０、スライド軸２５、読取搬送モータ、及びフラットケーブル等を有している。スキャナユニット１０は、本体筐体２の上部、即ちコンタクトガラス１６の下方に配設されている。尚、第１実施形態において、本体筐体２におけるスキャナユニット１０の配設部分は、スキャナ底面１７により、ファクシミリ部、及び画像形成部等の収納部分と区画されている。
【００２８】
イメージセンサ２０は、所謂、密着型イメージセンサ（ＣＩＳ：Contact Image Sensor）により構成される。イメージセンサ２０は、コンタクトガラス１６上に位置する原稿の画像を読み取る。イメージセンサ２０は、コンタクトガラス１６側に位置する上面に、撮像素子等を備える読取面２１を有している。イメージセンサ２０は、主走査方向、即ち、本体筐体２における前後方向が最大原稿サイズの短辺に相当する長さの読取範囲を有している。そして、イメージセンサ２０は、主走査方向に長手寸法を有する略直方体状に形成されている。イメージセンサ２０は、後述する第１キャリッジ３０のセンサ収納部３１内に収納される。
【００２９】
図２に示すように、スライド軸２５は、丸棒状の軸部材により構成されている。スライド軸２５は、スキャナ底面１７上において、本体筐体２の左右方向に向かって伸びるように配設されている。スライド軸２５は、第１キャリッジを介して、イメージセンサ２０を左右方向にスライド移動可能に保持している。そして、読取搬送モータは、制御部による駆動制御に基づいて、例えば、プーリー・ベルト機構等の駆動伝達機構等を介して、第１キャリッジ３０に搭載されたイメージセンサ２０をスライド軸２５に沿ってスライド移動させ得る。
【００３０】
そして、多機能機１において、イメージセンサ２０は、通常、コンタクトガラス１６左端部下方の待機位置Ｓ、所謂、ホームポジションに位置し得る。図２、及び図５に示すように、イメージセンサ２０は、待機位置Ｓから、最大原稿サイズの長辺に相当する距離分離間した位置（以下、「最終位置Ｔ」と記す）までの区間を、コンタクトガラス１６下面に沿ってスライド移動し得る。
【００３１】
イメージセンサ２０は、多機能機１の左右方向と同一である副走査方向に従って、待機位置Ｓと最終位置Ｔの間を移動する際に、コンタクトガラス１６上にセットされた原稿から画像を読み取る。従って、図１に示すように、スキャナユニット１０は、最大原稿サイズの原稿に相当する最大読取範囲Ｒを有し、最大原稿サイズ以下の原稿の画像を読み取り得る。
【００３２】
続いて、第１実施形態に係るスキャナユニット１０において、イメージセンサ２０を支持する第１キャリッジ３０の構成について、図３〜図５を参照しつつ詳細に説明する。上述したように、第１キャリッジ３０は、イメージセンサ２０を下方から支持すると共に、スライド軸２５に沿って副走査方向へスライド移動可能にイメージセンサ２０を保持している。
【００３３】
図３、及び図４に示すように、第１キャリッジ３０は、センサ収納部３１と、スプリング取付部３２と、を備えている。第１キャリッジ３０は、多機能機１の前後方向に長辺を有している。センサ収納部３１は、コンタクトガラス１６に面する上方部分が開放された凹状に形成され、多機能機１の前後方向に沿って延びる溝部として構成されている。センサ収納部３１は、読取面２１が上方、即ち、コンタクトガラス１６側に向いた状態で、イメージセンサ２０を収納すると共に、イメージセンサ２０を下方から支持する。
【００３４】
スプリング取付部３２は、第１キャリッジ３０の長手方向において、多機能機１の前方側に位置する端部に形成されている。スプリング取付部３２は、ホルダ部材３５及びスプリング３６を取り付け可能に構成されている。図３〜図５に示すように、スプリング取付部３２は、多機能機１の副走査方向において、センサ収納部３１を介して相互に対向する位置でセンサ収納部３１と隣接している。
【００３５】
図４に示すように、センサ収納部３１は、第１キャリッジ３０の端部側に、開口部３１Ａを有している。開口部３１Ａは、スプリング取付部３２が形成されている端部側に位置するセンサ収納部３１の底面を一定の範囲、即ち長手方向中央部分から端部側までの範囲を開口することで形成されている。従って、センサ収納部３１に収納されたイメージセンサ２０の端部は、開口部３１Ａを介して、第１キャリッジ３０よりも下方へ移動し得る。
【００３６】
図４、及び図５に示すように、ホルダ部材３５は、センサ収納部３１内に収納されたイメージセンサ２０を下方から支持する。ホルダ部材３５は、スプリング取付部３２との間に、スプリング３６を保持する部材である。ホルダ部材３５は、センサ支持部３５Ａと、被付勢部３５Ｂと、係止フック３５Ｃとを有している。
【００３７】
図５に示すように、センサ支持部３５Ａは、センサ収納部３１と同様に、上方部分が開放された凹状に形成されている。センサ支持部３５Ａは、センサ収納部３１に収納されたイメージセンサ２０の下面を支持する。又、センサ収納部３１に対して、ホルダ部材３５が取り付けられた場合、センサ支持部３５Ａは、スプリング取付部３２の形成位置において、開口部３１Ａを副走査方向に横断する。
【００３８】
被付勢部３５Ｂは、上方が開放された凹状に形成されたセンサ支持部３５Ａの上端部分から、センサ支持部３５Ａに対して外側方向へ水平に延出して形成されている。被付勢部３５Ｂは、スプリング取付部３２に取り付けられたスプリング３６の端部を保持する。図５に示すように、各被付勢部３５Ｂは、ホルダ部材３５が第１キャリッジ３０に取り付けられた場合、夫々、スプリング取付部３２の上方に位置する。各被付勢部３５Ｂは、スプリング取付部３２に保持されたスプリング３６によって、上方に向かって付勢される。
【００３９】
そして、係止フック３５Ｃは、センサ支持部３５Ａに対して外側に位置する各被付勢部３５Ｂの端縁から下方に延びるフックである。係止フック３５Ｃは、下端部に更に外側へ突出する爪部を有している。そして、係止フック３５Ｃは、第１キャリッジ３０に形成された被係合孔３１Ｂと係合することにより、ホルダ部材３５が第１キャリッジ３０から外れることのないように保持する機能を果たす。
【００４０】
図５に示すように、被係合孔３１Ｂは、スプリング取付部３２における第１キャリッジ３０左右側壁の下部を切り欠くことにより形成されている。ホルダ部材３５が第１キャリッジ３０に取り付けられた場合に、係止フック３５Ｃの爪部は、被係合孔３１Ｂ内に進入する。従って、スプリング３６の付勢力によって、ホルダ部材３５が上方へ移動した場合には、係止フック３５Ｃの爪部が被係合孔３１Ｂの上端と当接する。この当接により、ホルダ部材３５は、第１キャリッジ３０から外れることはなく、ホルダ部材３５の紛失を防止し得る。
【００４１】
スプリング３６は、ホルダ部材３５の被付勢部３５Ｂと、スプリング取付部３２との間に配設されている。スプリング３６の上端は、被付勢部３５Ｂの下面と当接する。スプリング３６の下端は、スプリング取付部３２に保持されている。図５に示すように、スプリング３６の上端は、コンタクトガラス１６よりも下方であり、センサ収納部３１に収納されたイメージセンサ２０の下面よりも上方に位置している。又、スプリング３６の下端が保持されるスプリング取付部３２は、センサ収納部３１内の前記イメージセンサ２０下面よりも上方に位置している。従って、スプリング３６は、ホルダ部材３５の被付勢部３５Ｂと、スプリング取付部３２との間において、ホルダ部材３５と共に、イメージセンサ２０を、コンタクトガラス１６が位置する上方へ付勢し得る。
【００４２】
以上説明したように、第１実施形態における多機能機１においては、第１キャリッジ３０の端部側において、ホルダ部材３５を構成する２つの被付勢部３５Ｂは、センサ収納部３１内のイメージセンサ２０の読取面２１に対して、左右方向に隣接している。そして、各被付勢部３５Ｂとスプリング取付部３２との間において、スプリング３６は、ホルダ部材３５の被付勢部３５Ｂを上方に付勢する。ここで、イメージセンサ２０は、ホルダ部材３５のセンサ支持部３５Ａによって下方から支持されている。よって、イメージセンサ２０は、ホルダ部材３５の被付勢部３５Ｂに対して、スプリング３６の付勢力が作用されることにより、コンタクトガラス１６に向かって付勢される。
【００４３】
尚、本発明における被付勢部は、図３のように、センサ収納部３１内のイメージセンサ２０の読取面２１に正対した場合に、読取面２１に隣接していればよい。即ち、この条件を満たしていれば、本発明は、イメージセンサ２０の読取面２１に対する被付勢部の高低は問わない。例えば、上述の条件を満たす限り、被付勢部が読取面２１よりも高い位置にあってもよい。同様に、被付勢部が読取面２１よりも低い位置にあってもよい。更に、被付勢部が読取面２１と同じ高さにあってもよい。
【００４４】
図３〜図５に示すように、第１実施形態においては、スプリング３６は、イメージセンサ２０の下面と、センサ収納部３１との間に位置することはない。従って、多機能機１は、イメージセンサ２０及び第１キャリッジ３０における上下寸法を小さくすることができる。又、スプリング３６は、イメージセンサ２０の読取面２１に対して副走査方向に隣接している被付勢部３５Ｂを介して、イメージセンサ２０をコンタクトガラス１６に付勢している。従って、多機能機１は、第１キャリッジ３０において、センサ収納部３１に対して副走査方向に隣接するスペースを活用して、イメージセンサ２０をコンタクトガラス１６側に付勢し得る。即ち、多機能機１は、イメージセンサ２０をコンタクトガラス１６に向かって付勢しつつ、上下方向における装置の小型化に対応し得る。
【００４５】
又、図５に示すように、ホルダ部材３５を構成する２つの被付勢部３５Ｂは、センサ収納部３１内のイメージセンサ２０の読取面２１に対して、左右方向に隣接している。２つの被付勢部３５Ｂは、スプリング３６によって、上方へ付勢される。即ち、多機能機１によれば、イメージセンサ２０に対して、スプリング３６の付勢力を左右方向にバランス良く作用させ得る。よって、イメージセンサ２０の読取面２１を、適正な状態、即ち、水平を保った状態でコンタクトガラス１６側へ付勢し得る。
【００４６】
（第２実施形態）
次に、上述した第１実施形態と異なる第２実施形態について、図面を参照しつつ詳細に説明する。尚、第２実施形態に係る多機能機１は、第１実施形態に係る多機能機１と同一の基本的構成を有しており、スキャナユニット１０におけるキャリッジ及びホルダ部材の構成が相違する。従って、第１実施形態と同一の構成に関する説明は省略する。
【００４７】
第２実施形態に係るキャリッジ（以下、「第２キャリッジ４０」と記す）と、ホルダ部材４５の構成について、図６、及び図７を参照しつつ詳細に説明する。第２キャリッジ４０は、上述した第１キャリッジ３０と同様に、イメージセンサ２０を下方から支持すると共に、スライド軸２５に沿って副走査方向へスライド移動可能にイメージセンサ２０を保持している。
【００４８】
図６、及び図７に示すように、第２キャリッジ４０は、センサ収納部４１と、スプリング取付部４２と、を備えている。第２キャリッジ４０は、多機能機１の前後方向に長辺を有している。センサ収納部４１は、開口部４１Ａを有している。センサ収納部４１の構成については、第１実施形態における第１キャリッジ３０のセンサ収納部３１と同様である。従って、センサ収納部４１及び開口部４１Ａの構成に関する説明は省略する。
【００４９】
又、スプリング取付部４２は、第２キャリッジ４０の長手方向において、多機能機１の前方側に位置する端部に形成されている。スプリング取付部４２は、ホルダ部材４５及びスプリング４６を取り付け可能に構成されている。図７に示すように、スプリング取付部４２は、多機能機１の副走査方向において、センサ収納部４１の左辺においてセンサ収納部４１と隣接している。
【００５０】
第２実施形態におけるホルダ部材４５は、第１実施形態と同様に、センサ収納部４１内に収納されたイメージセンサ２０を下方から支持する。ホルダ部材４５は、スプリング取付部４２との間に、スプリング４６を保持する部材である。ここで、ホルダ部材４５は、図６、及び図７に示すように、センサ支持部４５Ａと、被付勢部４５Ｂと、係止フック４５Ｃと、回動保持部４５Ｄとを有している。センサ支持部４５Ａについては、上述した第１キャリッジ３０のセンサ支持部３５Ａと同様の構成である為、その説明は省略する。
【００５１】
そして、第２実施形態に係るホルダ部材４５において、被付勢部４５Ｂは、上方が開放された凹状に形成されたセンサ支持部４５Ａの左側に位置する上端部分から、センサ支持部４５Ａに対して外側方向へ水平に延出して形成されている。被付勢部４５Ｂは、スプリング取付部４２に取り付けられたスプリング４６の端部を保持する。図７に示すように、被付勢部４５Ｂは、ホルダ部材４５が第２キャリッジ４０に取り付けられた場合、スプリング取付部４２の上方に位置する。被付勢部４５Ｂは、スプリング取付部４２に保持されたスプリング４６によって、上方に向かって付勢される。
【００５２】
係止フック４５Ｃは、被付勢部３５Ｂの左側端縁から下方に延びるフックである。係止フック４５Ｃは、下端部に更に外側へ突出する爪部を有している。そして、係止フック４５Ｃは、第２キャリッジ４０に形成された被係合孔４１Ｂと係合することにより、ホルダ部材４５が第２キャリッジ４０から外れることのないようにホルダ部材４５を保持する機能を果たす。
【００５３】
図７に示すように、回動保持部４５Ｄは、センサ支持部４５Ａの右側に位置する上端部分から、センサ支持部４５Ａに対して外側方向へ延出して形成されている。回動保持部４５Ｄは、ホルダ部材４５を、回動保持部４５Ｄを中心として、第２キャリッジ４０に対して上方へ回動可能に保持する。
【００５４】
スプリング４６は、ホルダ部材４５の被付勢部４５Ｂと、スプリング取付部４２との間に配設されている。スプリング４６の上端は被付勢部４５Ｂの下面と当接する。スプリング４６の下端はスプリング取付部４２に保持されている。図７に示すように、スプリング４６の上端は、コンタクトガラス１６よりも下方であり、センサ収納部４１に収納されたイメージセンサ２０の下面よりも上方に位置している。又、スプリング４６の下端が保持されるスプリング取付部４２は、センサ収納部４１内の前記イメージセンサ２０下面よりも上方に位置している。従って、スプリング４６は、ホルダ部材４５の被付勢部４５Ｂと、スプリング取付部４２との間において、ホルダ部材４５と共に、イメージセンサ２０を上方へ付勢し得る。
【００５５】
以上説明したように、第２実施形態における多機能機１においては、第２キャリッジ４０の端部側において、ホルダ部材４５の被付勢部４５Ｂは、センサ収納部４１内のイメージセンサ２０の読取面２１の左辺側において、イメージセンサ２０の読取面２１と隣接している。そして、被付勢部４５Ｂとスプリング取付部４２との間において、スプリング４６は、ホルダ部材４５の被付勢部４５Ｂを上方に付勢する。又、ホルダ部材４５は、センサ支持部４５Ａの右側部分に形成された回動保持部４５Ｄによって、回動保持部４５Ｄを中心として回動可能に保持されている。ここで、イメージセンサ２０は、ホルダ部材４５のセンサ支持部４５Ａによって下方から支持されている。よって、イメージセンサ２０は、ホルダ部材４５の被付勢部４５Ｂに対して、スプリング４６の付勢力が作用されることにより、コンタクトガラス１６に向かって付勢される。
【００５６】
図７に示すように、第２実施形態においても、スプリング４６は、イメージセンサ２０の下面と、センサ収納部４１との間に位置することはない。従って、多機能機１は、イメージセンサ２０及び第２キャリッジ４０における上下寸法を小さくすることができる。又、スプリング４６は、イメージセンサ２０の読取面２１に対して副走査方向に隣接している被付勢部４５Ｂを介して、イメージセンサ２０をコンタクトガラス１６に付勢している。従って、多機能機１は、第２キャリッジ４０において、センサ収納部４１に対して副走査方向に隣接するスペースを活用して、イメージセンサ２０をコンタクトガラス１６側に付勢し得る。即ち、多機能機１は、イメージセンサ２０をコンタクトガラス１６に向かって付勢しつつ、上下方向における装置の小型化に対応し得る。
【００５７】
（第３実施形態）
続いて、上述した第１実施形態、及び第２実施形態と異なる第３実施形態について、図面を参照しつつ詳細に説明する。尚、第３実施形態に係る多機能機１は、第１実施形態、及び第２実施形態に係る多機能機１と同一の基本的構成を有しており、スキャナユニット１０におけるキャリッジ及びホルダ部材の構成が相違する。従って、第１実施形態、及び第２実施形態と同一の構成に関する説明は省略し、これらの相違点についてのみ、図面を参照しつつ説明する。
【００５８】
第３実施形態に係るキャリッジ（以下、「第３キャリッジ５０」と記す）と、第１ホルダ部材５５と、第２ホルダ部材５６との構成について、図８等を参照しつつ詳細に説明する。第３キャリッジ５０は、上述した第１キャリッジ３０、及び第２キャリッジ４０と同様に、イメージセンサ２０を下方から支持すると共に、スライド軸２５に沿って副走査方向へスライド移動可能にイメージセンサ２０を保持している。
【００５９】
図８に示すように、第３キャリッジ５０は、センサ収納部５１と、第１スプリング取付部５２と、第２スプリング取付部５３と、を備えている。第３キャリッジ５０は、多機能機１の前後方向に長辺を有している。尚、センサ収納部５１の構成については、第１実施形態における第１キャリッジ３０のセンサ収納部３１と同様である。従って、センサ収納部５１の構成に関する説明は省略する。
【００６０】
又、第１スプリング取付部５２は、第３キャリッジ５０の長手方向において、多機能機１の前方側に位置する端部に形成されている。第１スプリング取付部５２は、第１ホルダ部材５５及びスプリング５７を取り付け可能に構成されている。図８に示すように、第１スプリング取付部５２は、多機能機１の副走査方向において、センサ収納部５１を介して相互に対向する位置でセンサ収納部５１と隣接している。
【００６１】
そして、第２スプリング取付部５３は、第３キャリッジ５０の長手方向において、多機能機１の後方側に位置する端部に形成されている。第２スプリング取付部５３は、第２ホルダ部材５６及びスプリング５７を取り付け可能に構成されている。図８に示すように、第２スプリング取付部５３は、多機能機１の副走査方向において、センサ収納部５１を介して相互に対向する位置でセンサ収納部５１と隣接している。
【００６２】
第３実施形態においては、第１ホルダ部材５５及び第２ホルダ部材５６は、夫々、イメージセンサ２０の長手方向の端部において、センサ収納部５１内に収納されたイメージセンサ２０を下方から支持する。第１ホルダ部材５５及び第２ホルダ部材５６は、第１スプリング取付部５２、第２スプリング取付部５３との間に、夫々、スプリング５７を保持する部材である。
【００６３】
第１ホルダ部材５５は、第１実施形態に係るホルダ部材３５と同様に、センサ支持部と、被付勢部５５Ａと、係止フックとを有している。又、第２ホルダ部材５６は、第１実施形態に係るホルダ部材３５と同様に、センサ支持部と、被付勢部５６Ａと、係止フックとを有している。
【００６４】
尚、第１ホルダ部材５５及び第２ホルダ部材５６の構成については、上述した第１実施形態に係るホルダ部材３５と同様であるため、その説明は省略する。更に、第１スプリング取付部５２における第１ホルダ部材５５の取付態様、及び第２スプリング取付部５３における第２ホルダ部材５６の取付態様についても、第１実施形態において、図５を参照しつつ説明したスプリング取付部３２に対するホルダ部材３５の取付態様と同一である。従
って、この点に関する説明についても省略する。
【００６５】
以上説明したように、第３実施形態における多機能機１においては、主走査方向における第３キャリッジ５０の両端部側において、第１ホルダ部材５５の被付勢部５５Ａ、及び第２ホルダ部材５６の被付勢部５６Ａは、センサ収納部５１内のイメージセンサ２０の読取面２１に対して、左右方向に隣接している。そして、被付勢部５５Ａと第１スプリング取付部５２の間において、スプリング５７は、第１ホルダ部材５５の被付勢部５５Ａを上方に付勢する。又、被付勢部５６Ａと第２スプリング取付部５３の間において、スプリング５７は、第２ホルダ部材５６の被付勢部５６Ａを上方に付勢する。
【００６６】
ここで、イメージセンサ２０は、第１ホルダ部材５５及び第２ホルダ部材５６のセンサ支持部によって下方から支持されている。よって、イメージセンサ２０は、第１ホルダ部材５５及び第２ホルダ部材５６に対して、スプリング５７の付勢力が作用されることにより、コンタクトガラス１６に向かって付勢される。つまり、第３実施形態においては、イメージセンサ２０の主走査方向における両端部において、第１ホルダ部材５５及び第２ホルダ部材５６を介して、スプリング５７の付勢力がイメージセンサ２０に作用する。その為、多機能機１は、イメージセンサ２０の主走査方向に関して、最適な状態、即ち、水平を保った状態で、イメージセンサ２０をコンタクトガラス１６へ付勢し得る。
【００６７】
そして、第３実施形態においても、スプリング５７は、イメージセンサ２０の下面と、センサ収納部５１との間に位置することはない。従って、多機能機１は、イメージセンサ２０及び第３キャリッジ５０における上下寸法を小さくすることができる。又、スプリング５７は、イメージセンサ２０の読取面２１に対して副走査方向に隣接している被付勢部５５Ａ及び被付勢部５６Ａを介して、イメージセンサ２０をコンタクトガラス１６に付勢している。従って、多機能機１は、第３キャリッジ５０において、センサ収納部５１に対して副走査方向に隣接するスペースを活用して、イメージセンサ２０をコンタクトガラス１６側に付勢し得る。即ち、多機能機１は、イメージセンサ２０をコンタクトガラス１６に向かって付勢しつつ、上下方向における装置の小型化に対応し得る。
【００６８】
又、図８に示すように、第１ホルダ部材５５における２つの被付勢部５５Ａ、及び第２ホルダ部材５６における２つの被付勢部５６Ａは、夫々、センサ収納部５１内のイメージセンサ２０の読取面２１に対して、左右方向に隣接している。２つの被付勢部５５Ａ、及び２つの被付勢部５６Ａは、夫々、スプリング５７によって、上方へ付勢される。即ち、多機能機１によれば、イメージセンサ２０に対して、スプリング５７の付勢力を左右方向にバランス良く作用させ得る。従って、イメージセンサ２０の読取面２１を、副走査方向に関しても適正な状態、即ち、水平を保った状態でコンタクトガラス１６側へ付勢し得る。
【００６９】
（第４実施形態）
次に、上述した第１実施形態〜第３実施形態と異なる第４実施形態について、図面を参照しつつ詳細に説明する。尚、第４実施形態に係る多機能機１は、第１実施形態〜第３実施形態に係る多機能機１と同一の基本的構成を有しており、スキャナユニット１０におけるキャリッジ及びホルダ部材の構成が相違する。従って、第１実施形態〜第３実施形態と同一の構成に関する説明は省略し、これらの相違点についてのみ、図面を参照しつつ説明する。
【００７０】
第４実施形態に係るキャリッジ（以下、「第４キャリッジ６０」と記す）と、ホルダ部材６５の構成について、図９等を参照しつつ詳細に説明する。第４キャリッジ６０は、上述した第１キャリッジ３０、第２キャリッジ４０、及び第３キャリッジ５０と同様に、イメージセンサ２０を下方から支持する。第４キャリッジ６０は、スライド軸２５に沿って副走査方向へスライド移動可能にイメージセンサ２０を保持している。
【００７１】
図９に示すように、第４キャリッジ６０は、センサ収納部６１と、スプリング取付部６２と、を備えている。第４キャリッジ６０は、多機能機１の前後方向に長辺を有している。尚、センサ収納部６１の構成については、第１実施形態における第１キャリッジ３０のセンサ収納部３１と同様である。従って、センサ収納部６１の構成に関する説明は省略する。
【００７２】
又、スプリング取付部６２は、第４キャリッジ６０の長手方向における中央部分に形成されている。スプリング取付部６２は、ホルダ部材６５及びスプリング６６を取り付け可能に構成されている。図９に示すように、スプリング取付部６２は、多機能機１の副走査方向において、センサ収納部６１を介して相互に対向する位置で、センサ収納部６１と隣接している。
【００７３】
第４実施形態においては、ホルダ部材６５は、夫々、イメージセンサ２０の長手方向中央部分において、センサ収納部６１内に収納されたイメージセンサ２０を下方から支持する。ホルダ部材６５は、スプリング取付部６２との間に、スプリング６６を保持する部材である。ホルダ部材６５は、第１実施形態に係るホルダ部材３５と同様に、センサ支持部と、被付勢部６５Ａと、係止フックとを有している。
【００７４】
尚、ホルダ部材６５の構成は、上述した第１実施形態に係るホルダ部材３５と同様であるため、その説明は省略する。更に、スプリング取付部６２におけるホルダ部材６５の取付態様についても、第１実施形態において、図５を参照しつつ説明したスプリング取付部３２に対するホルダ部材３５の取付態様と同一である。従って、この点に関する説明についても省略する。
【００７５】
以上説明したように、第４実施形態における多機能機１においては、主走査方向における第４キャリッジ６０の中央部分において、ホルダ部材６５の被付勢部６５Ａは、センサ収納部６１内のイメージセンサ２０の読取面２１に対して、左右方向に隣接している。そして、被付勢部６５Ａとスプリング取付部６２の間において、スプリング６６は、ホルダ部材６５の被付勢部６５Ａを上方に付勢する。ここで、イメージセンサ２０は、ホルダ部材６５のセンサ支持部によって下方から支持されている。よって、イメージセンサ２０は、ホルダ部材６５に対して、スプリング６６の付勢力が作用されることにより、コンタクトガラス１６に向かって付勢される。つまり、第４実施形態においては、イメージセンサ２０の主走査方向における中央部において、ホルダ部材６５を介して、スプリング６６の付勢力がイメージセンサ２０に作用する。その為、多機能機１は、少ない部品点数で、比較的水平を保ちつつ、イメージセンサ２０をコンタクトガラス１６へ付勢し得る。
【００７６】
そして、第４実施形態においても、スプリング６６は、イメージセンサ２０の下面と、センサ収納部６１との間に位置することはない。従って、多機能機１は、イメージセンサ２０及び第４キャリッジ６０における上下寸法を小さくすることができる。又、スプリング６６は、イメージセンサ２０の読取面２１に対して副走査方向に隣接している被付勢部６５Ａを介して、イメージセンサ２０をコンタクトガラス１６に付勢している。従って、多機能機１は、第４キャリッジ６０において、センサ収納部６１に対して副走査方向に隣接するスペースを活用して、イメージセンサ２０をコンタクトガラス１６側に付勢し得る。即ち、多機能機１は、イメージセンサ２０をコンタクトガラス１６に向かって付勢しつつ、上下方向における装置の小型化に対応し得る。
【００７７】
又、図９に示すように、ホルダ部材６５における２つの被付勢部６５Ａは、センサ収納部６１内のイメージセンサ２０の読取面２１に対して、左右方向に隣接している。２つの
被付勢部６５Ａは、スプリング６６によって、上方へ付勢される。即ち、多機能機１によれば、イメージセンサ２０に対して、スプリング６６の付勢力を左右方向にバランス良く作用させ得る。よって、イメージセンサ２０の読取面２１を、副走査方向に関して適正な状態、即ち、水平を保った状態でコンタクトガラス１６側へ付勢し得る。
【００７８】
（第５実施形態）
次に、上述した第１実施形態〜第４実施形態と異なる第５実施形態について、図面を参照しつつ詳細に説明する。尚、第５実施形態に係る多機能機１は、第１実施形態〜第４実施形態に係る多機能機１と同一の基本的構成を有しており、スキャナユニット１０におけるキャリッジ及びホルダ部材の構成が相違する。従って、第１実施形態〜第４実施形態と同一の構成に関する説明は省略し、これらの相違点についてのみ、図面を参照しつつ説明する。
【００７９】
第５実施形態に係るキャリッジ（以下、「第５キャリッジ７０」と記す）と、ホルダ部材７５の構成について、図１０、及び図１１を参照しつつ詳細に説明する。第５キャリッジ７０は、上述した第１キャリッジ３０と同様に、イメージセンサ２０を下方から支持する。第５キャリッジ７０は、スライド軸２５に沿って副走査方向へスライド移動可能にイメージセンサ２０を保持している。
【００８０】
図１０、及び図１１に示すように、第５キャリッジ７０は、センサ収納部７１と、スプリング取付部７２と、を備えている。第５キャリッジ７０は、多機能機１の前後方向に長辺を有している。センサ収納部７１は、開口部７１Ａと、被係合孔７１Ｂとを有している。センサ収納部７１の構成については、第１実施形態における第１キャリッジ３０のセンサ収納部３１と同様である。従って、センサ収納部７１の構成に関する説明は省略する。
【００８１】
又、スプリング取付部７２は、第５キャリッジ７０の長手方向において、多機能機１の前方側に位置する端部に形成されている。スプリング取付部７２は、ホルダ部材７５及びスプリング７６を取り付け可能に構成されている。図１０、及び図１１に示すように、スプリング取付部７２は、多機能機１の副走査方向において、センサ収納部７１を介して相互に対向する位置で、センサ収納部７１と隣接している。
【００８２】
第５実施形態においては、ホルダ部材７５は、イメージセンサ２０長手方向における中前側端部において、センサ収納部７１内に収納されたイメージセンサ２０を下方から支持する。ホルダ部材７５は、スプリング取付部７２との間に、スプリング７６を保持する部材である。図１１に示すように、ホルダ部材７５は、センサ支持部７５Ａと、被付勢部７５Ｂと、係止フック７５Ｃと、スペーサーリブ７５Ｄとを有している。
【００８３】
尚、ホルダ部材７５におけるセンサ支持部７５Ａと、被付勢部７５Ｂと、係止フック７５Ｃとの構成は、夫々、上述した第１実施形態に係るホルダ部材３５のセンサ支持部３５Ａと、被付勢部３５Ｂと、係止フック３５Ｃと同様であるため、その説明は省略する。更に、スプリング取付部７２におけるホルダ部材７５の取付態様についても、第１実施形態において、図５を参照しつつ説明したスプリング取付部３２に対するホルダ部材３５の取付態様と同一である。従って、この点に関する説明についても省略する。
【００８４】
図１０、及び図１１に示すように、スペーサーリブ７５Ｄは、被付勢部３５Ｂの上面において、コンタクトガラス１６に向かって、上方へ突出するリブである。スプリング７６の付勢力によって、ホルダ部材７５が上方へ移動した場合、スペーサーリブ７５Ｄの上端は、コンタクトガラス１６の下面と当接する。即ち、第５実施形態に係る多機能機１によれば、スペーサーリブ７５Ｄによって、ホルダ部材７５により保持されたイメージセンサ２０の読取面２１と、コンタクトガラス１６の下面との距離を、スペーサーリブ７５Ｄの突出量に基づく一定の距離に保ち得る。この結果、多機能機１は、コンタクトガラス１６上の原稿と、イメージセンサ２０の読取面２１の距離を適正に保つことができるので、スキャナユニット１０による読取品質を維持し得る。
【００８５】
そして、スプリング７６は、ホルダ部材７５の被付勢部７５Ｂと、スプリング取付部７２との間に配設されている。スプリング７６の上端は被付勢部７５Ｂの下面と当接する。スプリング７６の下端はスプリング取付部７２に保持されている。図１１に示すように、スプリング７６の上端は、コンタクトガラス１６よりも下方であり、センサ収納部７１に収納されたイメージセンサ２０の下面よりも上方に位置している。又、スプリング７６の下端が保持されるスプリング取付部７２は、センサ収納部７１内の前記イメージセンサ２０下面よりも上方に位置している。従って、スプリング７６は、ホルダ部材７５の被付勢部７５Ｂと、スプリング取付部７２の間において、ホルダ部材７５と共に、イメージセンサ２０を上方へ付勢し得る。
【００８６】
以上説明したように、第５実施形態における多機能機１においては、第５キャリッジ７０の端部側において、ホルダ部材７５を構成する２つの被付勢部７５Ｂは、センサ収納部７１内のイメージセンサ２０の読取面２１に対して、左右方向に隣接している。そして、各被付勢部７５Ｂとスプリング取付部７２の間において、スプリング７６は、ホルダ部材７５の被付勢部７５Ｂを上方に付勢する。ここで、イメージセンサ２０は、ホルダ部材７５のセンサ支持部７５Ａによって下方から支持されている。よって、イメージセンサ２０は、ホルダ部材７５の被付勢部７５Ｂに対して、スプリング７６の付勢力が作用されることにより、コンタクトガラス１６に向かって付勢される。
【００８７】
図１１に示すように、第５実施形態においては、スプリング７６は、イメージセンサ２０の下面と、センサ収納部７１との間に位置することはない。従って、多機能機１は、イメージセンサ２０及び第５キャリッジ７０における上下寸法を小さくすることができる。又、スプリング７６は、イメージセンサ２０の読取面２１に対して副走査方向に隣接している被付勢部７５Ｂを介して、イメージセンサ２０をコンタクトガラス１６に付勢している。従って、多機能機１は、第５キャリッジ７０において、センサ収納部７１に対して副走査方向に隣接するスペースを活用して、イメージセンサ２０をコンタクトガラス１６側に付勢し得る。即ち、多機能機１は、イメージセンサ２０をコンタクトガラス１６に向かって付勢しつつ、上下方向における装置の小型化に対応し得る。
【００８８】
又、図１０、及び図１１に示すように、ホルダ部材７５を構成する２つの被付勢部７５Ｂは、センサ収納部７１内のイメージセンサ２０の読取面２１に対して、左右方向に隣接している。２つの被付勢部７５Ｂは、スプリング７６によって、上方へ付勢される。更に、各被付勢部７５Ｂは、夫々、その上面にスペーサーリブ７５Ｄを有している。従って、多機能機１によれば、イメージセンサ２０に対して、スプリング３６の付勢力を左右方向にバランス良く作用させることができる。更に、多機能機１においては、スペーサーリブ７５Ｄによって、イメージセンサ２０の読取面２１と、コンタクトガラス１６下面との距離を一定に保ち得る。よって、イメージセンサ２０の読取面２１を、適正な状態、即ち、水平を保った状態でコンタクトガラス１６側へ付勢し得る。
【００８９】
以上、実施形態に基づき本発明を説明したが、本発明は上述した実施形態に何ら限定されるものではなく、本発明の趣旨を逸脱しない範囲内で種々の改良変更が可能である。例えば、上記実施形態においては、スキャナ機能、コピー機能、プリンタ機能、及びファクシミリ機能を有する多機能機１を例として挙げていた。しかし、本発明は、この態様に限定されるものではない。少なくとも、フラットベットタイプのスキャナユニットを有していれば良く、スキャナ装置に適用することも可能であるし、コピー機に適用することも可能である。
【００９０】
又、上述した実施形態においては、被付勢部は、イメージセンサの読取面に対して、副走査方向に隣接するように位置していたが、この態様に限定されるものではない。即ち、被付勢部が、イメージセンサの読取面に対して、主走査方向に隣接するように位置する構成であってもよい。
【００９１】
更に、上述した実施形態においては、ホルダ部材の被付勢部を、スプリングによって上方へ付勢することにより、ホルダ部材によって支持されたイメージセンサを、コンタクトガラスに向かって付勢していたが、この態様に限定されるものではない。例えば、イメージセンサの側面上部において、イメージセンサの外側方向へ水平に延出した被付勢部を形成しても良い。この場合、イメージセンサと一体に形成された被付勢部に、スプリングの付勢力を作用させることで、イメージセンサをコンタクトガラス側へ付勢してもよい。
【００９２】
つまり、本発明における被付勢部は、イメージセンサの読取面に隣接する位置において、付勢部材の付勢力を受け、その付勢力を、イメージセンサをコンタクトガラス側に付勢するように作用させるものであればよい。従って、本発明における被付勢部には、上述のように、被付勢部がイメージセンサと一体に形成されている場合も含まれる。尚、上述した各実施形態のように、被付勢部が、イメージセンサとは別の部材に形成されている場合も含まれることは勿論である。
【００９３】
そして、上述した実施形態においては、キャリッジの長手方向における端部若しくは中央部分において、スプリング取付部を形成し、ホルダ部材及びスプリングを取り付けていた。これにより、イメージセンサ２０をコンタクトガラス１６側へ付勢する構成であったが、この態様に限定されるものではない。例えば、キャリッジの長手方向における両端部及び中央部の３箇所に、スプリング取付部を形成し、ホルダ部材及びスプリングを取り付けることで、イメージセンサ２０をコンタクトガラス１６側へ付勢する構成であってもよい。
【符号の説明】
【００９４】
１      多機能機
１０    スキャナユニット
１６    コンタクトガラス
２０    イメージセンサ
２１    読取面
２５    スライド軸
３０    第１キャリッジ
３１    センサ収納部
３２    スプリング取付部
３５    ホルダ部材
３５Ａ  センサ支持部
３５Ｂ  被付勢部
３５Ｃ  係止フック
【図１】
2015164356.tif 000003
【図２】
2015164356.tif 000004
【図３】
2015164356.tif 000005
【図４】
2015164356.tif 000006
【図５】
2015164356.tif 000007
【図６】
2015164356.tif 000008
【図７】
2015164356.tif 000009
【図８】
2015164356.tif 000010
【図９】
2015164356.tif 000011
【図１０】
2015164356.tif 000012
【図１１】
2015164356.tif 000013
【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
本体筐体の上面に配設され、原稿がセットされるコンタクトガラスと、
前記コンタクトガラスの下方に位置し、前記コンタクトガラス上の原稿から画像を読み取る為の読取面を、前記コンタクトガラス側に有するイメージセンサと、
前記コンタクトガラス側が開放された凹状に形成されたセンサ収納部に、前記イメージセンサを収納しつつ支持するキャリッジと、
前記キャリッジをスライド移動可能に支持するレール部材と、
前記イメージセンサの読取面に隣接する被付勢部を介して、前記イメージセンサを、前記コンタクトガラス側に付勢する付勢部材と、を有し、
前記被付勢部は、前記キャリッジの移動方向において前記センサ収納部を介して相互に対向する２箇所に位置し、前記付勢部材は、前記２箇所の被付勢部を介して、前記イメージセンサをコンタクトガラス側に付勢し、前記付勢部材の上端は、前記コンタクトガラスの下方であり、前記イメージセンサの下面よりも上方に位置することを特徴とする画像読取装置。
【請求項２】
請求項１記載の画像読取装置であって、
前記キャリッジは、
前記被付勢部の下方であって、前記付勢部材の下端部が取り付けられる取付部を有し、
前記取付部は、
前記センサ収納部に収納された前記イメージセンサの下面よりも、前記コンタクトガラス側に位置する
ことを特徴とする画像読取装置。
【請求項３】
請求項１又は請求項２の何れかに記載の画像読取装置であって、
前記イメージセンサと前記キャリッジの間において、上下動可能に配設され、前記イメージセンサの下面と当接するホルダ部材と、を有し、
前記ホルダ部材は、
前記コンタクトガラス側が開放された凹状に形成され、前記イメージセンサの下面と当接して、イメージセンサを支持する支持凹部と、
前記支持凹部におけるコンタクトガラス側の端縁から、前記支持凹部の外側に向かって延出された前記被付勢部と、を有する
ことを特徴とする画像読取装置。
【請求項４】
請求項３記載の画像読取装置であって、
前記ホルダ部材は、
前記付勢部材の付勢力によって、コンタクトガラス側へ所定量移動した場合に、前記キャリッジに形成された被係合部と係合する係合フックを有する
ことを特徴とする画像読取装置。
【請求項５】
請求項１乃至請求項４の何れかに記載の画像読取装置であって、
前記イメージセンサは、
前記レール部材に従ったスライド移動方向に直交する第１方向に長辺を有し、
前記第１方向における前記イメージセンサの端部の内、少なくとも一方に位置する前記２箇所の被付勢部を介して、前記コンタクトガラス側に付勢されている
ことを特徴とする画像読取装置。
【請求項６】
請求項１乃至請求項５の何れかに記載の画像読取装置であって、
前記イメージセンサは、
前記レール部材に従ったスライド移動方向に直交する第１方向に長辺を有し、
前記第１方向における前記イメージセンサの中央部分に位置する前記２箇所の被付勢部を介して、前記コンタクトガラス側に付勢されている
ことを特徴とする画像読取装置。
【請求項７】
請求項１乃至請求項６の何れかに記載の画像読取装置であって、
前記被付勢部は、
前記コンタクトガラスの下面と前記被付勢部の上面との間に設けられ、前記コンタクトガラスの下面と当接するスペーサを有する
ことを特徴とする画像読取装置。